(57)【要約】【課題】水蓄熱用の冷凍機の能力を活かして、同時に氷蓄熱をも可能とし蓄熱容量の増加を図り、その蓄熱増加分の運転効率を高める構成とした水蓄熱システムを提供する。【解決手段】蓄熱運転時におけるターボ冷凍機１８で製造された冷水１８ｄを、冷却水（往）２０ａと冷水１８ｅとして分配し、水蒸気圧縮冷凍機２１の凝縮器２１ｃと水蓄熱槽１６とに流送させる流路と、この冷却水２０（往）ａを凝縮水と共に水蓄熱槽１６に流送させる流路を備えている。一方、放熱運転時における冷水１７を、熱交換手段２５を介して冷水２２ｃと熱交換し、例えば７℃の冷水を更に４℃に低下させ、空調機２４に流送し、再び水蓄熱槽１６に戻す流路を備えている。【選択図】図１
2004316968.tif 000002
【特許請求の範囲】
【請求項１】
冷凍機と、該冷凍機で製造された冷水を貯留する水蓄熱槽と、水蒸気圧縮冷凍機と、該水蒸気圧縮冷凍機で製造された氷スラリー貯留する氷蓄熱槽と、でなる蓄熱システムにおいて、該蓄熱システムは、該冷凍機で製造された冷水を該水蓄熱槽へ導く流路と、該冷凍機で製造された冷水を該水蒸気圧縮冷凍機の凝縮器に冷却水として導く流路と、該水蒸気圧縮冷凍機の凝縮器で熱交換された冷水と該冷水により凝縮された凝縮水とを該水蓄熱槽へ導く流路を備えたことを特徴とする複合蓄熱システム。
【請求項２】
前記冷凍機で製造された冷水を水蓄熱槽へ導く流路と、前記冷凍機で製造された冷水を水蒸気圧縮冷凍機の凝縮器に冷却水として導く流路は、冷凍機と冷水分配手段を介して接続されており、該水蒸気圧縮冷凍機の凝縮器に該冷却水として分配される以外の該冷水を該冷水分配手段を介して該水蓄熱槽に蓄熱することを特徴とする請求項１記載の複合蓄熱システム。
【請求項３】
前記冷水分配手段が三方弁であることを特徴とする請求項２記載の複合蓄熱システム。
【請求項４】
前記水蒸気圧縮冷凍機の凝縮器に冷却水として導く冷水は、該水蒸気圧縮冷凍機の要求する凝縮熱量に応じて該冷水を流送させるようにしたことを特徴とする請求項１、２又は３記載の複合蓄熱システム。
【請求項５】
前記水蓄熱槽に貯留する冷水と前記氷蓄熱槽に貯留する冷水とを熱交換する熱交換手段と、該水蓄熱槽から該熱交換手段を経由して水蓄熱槽へ冷水を導く循環する流路と、該氷蓄熱槽から該熱交換手段経由して流送する循環する流路を備え、該水蓄熱槽から負荷側へ流送される冷水が該熱交換手段を経由して負荷側に供給されることを特徴とする請求項１、２、３又は４記載の複合蓄熱システム。
【請求項６】
前記氷蓄熱槽に貯留する氷は前記氷蓄熱槽から前記熱交換手段を介して流送された冷水で解氷されることを特徴とする請求項５記載の複合蓄熱システム。
【発明の詳細な説明】
【０００１】
【発明の属する技術分野】
本発明は、建物の空調に用いられる水蓄熱システムの蓄熱容量の増加に関し、詳しくは水蓄熱用の冷凍機の能力を活かして、同時に氷蓄熱をも可能とし蓄熱容量の増加を図り、その蓄熱増加分の運転効率を高める構成とした複合蓄熱システムに関する。
【０００２】
【従来の技術】
従来、この種の水蓄熱システムは、図２に示すような構成であった。
これについて説明すれば、１は、水蓄熱槽であり、該水蓄熱槽１の内部に水２が充填されている。水２は、例えば冷房などに利用される冷水である。水２を冷却して蓄熱を行うために、水蓄熱槽１内の水２をターボ冷凍機３に供給する往き管路４と、ターボ冷凍機３で作り出した冷水を水蓄熱槽１内に戻す返り管路５が設けられている。
そして、水蓄熱槽１内の冷却した水２をポンプ７で空調機８に流送している。
なお、図２に示す水蓄熱槽２は、いわゆる連結温度成槽型であって、連通孔１ａを介して、蓄熱運転時には低温側から高温側へターボ冷凍機３で作り出した冷水が、放熱運転時には高温側から低温側へ空調機８で熱交換された冷水が順次貯留されるようになっている。
【０００３】
このような水蓄熱システムを設置している建物のうち、オフィスビルにおいてはＯＡ機器等からの発熱よる冷房需要の増大に伴い、工場においては生産装置等の設備の追加による冷却需要の増大に伴い、新築当初の蓄熱容量では、不足することが問題となっていた。また、新規に水蓄熱システムを構築する場合においても、水蓄熱槽のスペースが確保できず、所望の蓄熱量を確保できないといった問題があった。最近に於いて、蓄熱槽における単位容積当たりの蓄熱量を増加させる方法として、潜熱蓄熱（氷蓄熱）に係る技術が開発されており、かかる要望に対処すべく図３に示す特開平８−２７８０４５号公報に開示された技術がある。
これについて説明すれば、水蓄熱槽１の内部に水２が充填されている。水２は、例えば冷房などに利用される冷水である。また、この水蓄熱槽１に隣接して氷蓄熱槽９が設けられている。そして氷蓄熱槽９が水蓄熱槽１よりも上方に配置されている。
【０００４】
これら水蓄熱槽１と氷蓄熱槽９の間には、水蓄熱槽１から氷蓄熱槽９に水２を供給する往き管路１０と、氷蓄熱槽９から水蓄熱槽１に水を戻す返り管路１１が形成されている。往き管路１０には、水蓄熱槽１から水２を汲み上げるためのポンプ１２と、その水２を過冷却状態にする過冷却器１３が設けられている。過冷却器１３には、冷凍機１４によって氷点下の温度例えば約−６℃にまで冷却されたブラインが、ポンプ１５の稼働によって循環供給される。そして過冷却器１３において往き管路１０を介して送られてきた水２と、冷凍機１４より循環供給された氷点下のブラインとの間で熱交換が行われ、水２は−２℃程度の過冷却状態にまで冷却される。こうして製造された過冷却水が、過冷却器１３の出口から排出される。そして、過冷却器１３の出口から排出された過冷却水２′が、氷蓄熱槽９の上部の過冷却解除・分配部において過冷却度に応じて水の状態から氷の状態に相変化し、スラリー状態となって氷蓄熱槽９内に落下するようになっている。そして、氷蓄熱槽９に溜められた０℃に近い冷水を水蓄熱槽１へ移送している。尚、図中、９ａは氷蓄熱槽９の底部に設けたフィルターである。
【０００５】
【発明が解決しようとする課題】
従来の技術は叙上のような構成であるので、次の課題が存在した。
図３に示す特開平８−２７８０４５号公報に開示された蓄熱システムは、上記単独の水蓄熱槽１を配備した構成でなる図２に示す水蓄熱システムが具有する蓄熱量を増やせないという問題点を解消する技術であるが、全ての蓄熱に係る冷水製造を冷凍機１４で賄わなくてはならないので、冷水製造温度は、一旦は−２℃程度まで下げることになり、冷凍機の成績係数は一般的な水蓄熱システム、たとえば、７℃の冷水を製造し、蓄熱する場合に比べ、低くなる。すなわち、所望する増量分の蓄熱量のみを潜熱蓄熱し、それ以外は効率のよい冷凍機で水蓄熱するといったことができない。また、水蓄熱システムに供する冷凍機と所望の潜熱蓄熱分を賄う氷蓄熱システムに供する冷凍機とをそれぞれ設置し（図示せず）、水蓄熱及び氷蓄熱をそれぞれの冷凍機で行う場合も考えられるが、屋外にそれぞれに冷却塔を設置する必要がある他、それをつなぐ配管及びポンプ等の付帯設備が必要となる。また、潜熱蓄熱分を担う冷凍機の運転効率は必ずしも高いとは言えない。という課題が残存した。
【０００６】
【課題を解決するための手段】
本発明は叙上した従来の技術の問題点を解消するためになされたもので、水蓄熱システムの蓄熱容量を増加する方法として、潜熱蓄熱を行うに当たって、既存の冷凍機の能力を最大限に生かし、追加する設備は最小限とし、しかも高効率運転で潜熱蓄熱が行える複合蓄熱システムを提供とすることを目的としたものであって、次の構成、手段から成立する。
【０００７】
請求項１記載の発明によれば、冷凍機と、該冷凍機で製造された冷水を貯留する水蓄熱槽と、水蒸気圧縮冷凍機と、該水蒸気圧縮冷凍機で製造された氷スラリー貯留する氷蓄熱槽と、でなる蓄熱システムにおいて、該蓄熱システムは、該冷凍機で製造された冷水を該水蓄熱槽へ導く流路と、該冷凍機で製造された冷水を該水蒸気圧縮冷凍機の凝縮器に冷却水として導く流路と、該水蒸気圧縮冷凍機の凝縮器で熱交換された冷水と該冷水により凝縮された凝縮水とを該水蓄熱槽へ導く流路を備えたことを特徴とする複合蓄熱システムである。
【０００８】
請求項２記載の発明によれば、前記冷凍機で製造された冷水を水蓄熱槽へ導く流路と、前記冷凍機で製造された冷水を水蒸気圧縮冷凍機の凝縮器に冷却水として導く流路は、冷凍機と冷水分配手段を介して接続されており、該水蒸気圧縮冷凍機の凝縮器に該冷却水として分配される以外の該冷水を該冷水分配手段を介して該水蓄熱槽に蓄熱することを特徴とする請求項１記載の複合蓄熱システムである。
【０００９】
請求項３記載の発明によれば、前記冷水分配手段が三方弁であることを特徴とする請求項２記載の複合蓄熱システムである。
【００１０】
請求項４記載の発明によれば、前記水蒸気圧縮冷凍機の凝縮器に冷却水として導く冷水は、該水蒸気圧縮冷凍機の要求する凝縮熱量に応じて該冷水を流送させるようにしたことを特徴とする請求項１、２又は３記載の複合蓄熱システムである。
【００１１】
請求項５記載の発明によれば、前記水蓄熱槽に貯留する冷水と前記氷蓄熱槽に貯留する冷水とを熱交換する熱交換手段と、該水蓄熱槽から該熱交換手段を経由して水蓄熱槽へ冷水を導く循環する流路と、該氷蓄熱槽から該熱交換手段経由して流送する循環する流路を備え、該水蓄熱槽から負荷側へ流送される冷水が該熱交換手段を経由して負荷側に供給されることを特徴とする請求項１、２、３又は４記載の複合蓄熱システムである。
【００１２】
請求項６記載の発明によれば、前記氷蓄熱槽に貯留する氷は前記氷蓄熱槽から前記熱交換手段を介して流送された冷水で解氷されることを特徴とする請求項５記載の複合蓄熱システムである。
【００１３】
【発明の実施の形態】
以下、添付図面に基づき、本発明に係る複合蓄熱システムに於ける実施の形態について詳細に説明する。
【００１４】
図１は、本発明に係る複合蓄熱システムに於ける実施の形態の一例を示す構成配置図である。
【００１５】
水蓄熱槽１６は冷水１７を蓄熱する水蓄熱槽であり、ターボ冷凍機１８から流送される冷水１７を貯留している。水蓄熱槽１６の高温側１６ｂには、ポンプ１９の吸い込み管１９ａ、冷水二次側返り管２６ｂ及び水蒸気圧縮冷凍機から冷却水（返）２０ｂが導かれている。また、水蓄熱槽１６の低温側１６ａには、冷水二次側往き管２６ａ及び分配後の冷水１８ｅが導かれている。なお、図１に示す水蓄熱槽１６は、複合温度成層型の蓄熱槽である。
また、図１に示すターボ冷凍機１８は、冷水１８ｄを製造する冷凍機であって、形式を限定するものではなく、吸収式冷凍機、スクリューチラーなど冷水を製造する冷凍機であればよい。
【００１６】
前記水蓄熱槽１６から汲み上げられターボ冷凍機１８で冷却された冷水１８ｄは、例えば三方弁でなる冷水分配手段２０を介して分配され、一方は水蒸気圧縮冷凍機２１の冷却水（往）２０ａとして利用され、もう一方は配管を通して水蓄熱槽１６に貯留されるようになっている。ターボ冷凍機１８は、あらかじめ設定された例えば７℃の冷水を製造するように運転している。
そして、冷水分配手段２０は水蒸気圧縮冷凍機２１の要求する凝縮熱量に応じて、分配率を調節する。この要求する凝縮熱量とは、水蒸気圧縮冷凍機２１の蒸発器２１ａで、発生する水蒸気を凝縮させるために必要な熱量である。そして、要求する凝縮熱量に必要な冷却水の量に近づけるように、冷水分配手段２０の配分率を冷水分配手段２０から水蒸気圧縮冷凍機２１の凝縮器２１ｃへ向かう冷却水（往）２０ａの流量を検知して調節する。なお、氷蓄熱槽２２が満蓄状態になった場合、ターボ冷凍機１８で製造された冷水１８ｄは、冷水分配手段２０を調節し、全て水蓄熱槽１６内に流送される。
【００１７】
而して、具体的には上記水蓄熱槽１６の冷水１７は、水蓄熱槽１６の高温側１６ｂから、１２℃程度の冷水を配管に接続されたポンプ１９で汲み上げられてターボ冷凍機１８の蒸発器１８ａに導入される。そして、該蒸発器１８ａからこれが冷やされて、一部は７℃の冷却水として水蒸気圧縮冷凍機２１の凝縮器２１ｃに導入され、それ以外は冷水として該水蓄熱槽１６の低温側１６ａに配管を介して戻されかつ貯留される。
なお、上述した構成は一例であって、ターボ冷凍機１８で製造され冷水１８ｄを水蒸気圧縮冷凍機２１に導く経路は、一旦、水蓄熱槽１６の低温側１６ａに貯留させ、水蓄熱槽１６の低温側１６ａから冷水１７を水蒸気圧縮冷凍機２１の凝縮器２１ｃへ導くような構成としてもよい。
なお、図１に示す水蓄熱槽１６は、いわゆる連結温度成槽型の連通孔１６ｃであって、該連通孔１６ｃを介して、蓄熱運転時には低温側１６ａから高温側１６ｂへターボ冷凍機１８で作り出した冷水１８ｄが、放熱運転時には高温側１６ｂから低温側１６ａへ空調機２４で熱交換された冷水が、順次各槽に貯留されるようになっている。
【００１８】
前記水蒸気圧縮冷凍機２１は、蒸発器２１ａ、圧縮機２１ｂ及び凝縮器２１ｃを備えており、水を冷媒として蒸発、圧縮、凝縮という冷凍サイクルを基本原理としている。
当該水蒸気圧縮冷凍機２１は冷媒として水を用いるので地球環境対応性を有すると共に、水の直接熱交換によるエネルギー効率の向上や運転成績係数（ＣＯＰ）の高効率化を実現できる特徴を備えている。また、制限される冷却水温度の下限が低いという特徴を備えている。つまり、水蒸気圧縮冷凍機２１は、他の冷凍機が運転不可能な冷却水の温度域、例えば２２℃以下である場合にも、運転可能なので、冷却水温度が低いほど、圧縮機の動力が少なくなり、高効率運転が可能となる特徴を有する。また、水が冷媒なので、凝縮器２１ｃにおいて、水−水の直接熱交換が可能で、冷却水を熱交換器を介することなく直接導入できるという特徴を備えている。したがって、上述した構成が可能となり、冷凍機で製造された７℃の冷水を冷却水として利用でき、かつ、高効率で氷スラリーの製造ができる。
【００１９】
氷蓄熱槽２２は、水蓄熱槽１６に隔壁２３を介して並置されたものであって、新規に設置する場合のほか、既存の蓄熱槽容量の増量分に見合った容量を満たすため、水蓄熱槽の一部を改造してもよい。上部はスプレーノズル２２ａ、を配置してある。そして、氷蓄熱槽２２の底部２２ｂから冷水２２ｃを配管を介して水蒸気圧縮冷凍機２１の蒸発器２１ａに流送する。蒸発器２１ａで製造された氷スラリー２１ｄは、スラリーポンプ２１ｅにより取り出され氷熱槽１６に流送される。
【００２０】
また、前記氷蓄熱槽２２に貯留されかつ蓄熱された０℃〜２℃の冷水２２ｃは冷水配管で解氷ポンプ２２ｄにより汲み上げられ、熱交換器等でなる熱交換手段２５を介して、氷蓄熱槽２２の上部に配置したスプレーノズル２２ａから散水し、再び該氷蓄熱槽２２に流送される。
一方、水蓄熱槽１６内の７℃の冷水１７はポンプ１５により汲み上げられ、熱交換手段２５を介して冷水２２ｃと熱交換され、更に低い温度の例えば４℃の冷水となり、空調機２４で冷熱として利用され、再び水蓄熱槽１６に流送される。
【００２１】
このように、氷蓄熱槽２２は水蓄熱槽１６に貯留した冷水１７を冷却する熱交換手段２５を含む氷蓄熱槽２２内の冷水２２ｃの循環回路を備えている。そして氷蓄熱槽２２内の冷水２２ｃは氷蓄熱槽２２から解氷ポンプ２２ｄを介して熱交換手段２５に流送され、熱交換手段２５で、例えば３℃程度の冷水２２ｅとなり、スプレーノズル２２ａより散水され、氷蓄熱槽２２の氷を解氷する。
【００２２】
一方、前記水蓄熱槽１６の低温側１６ａ冷水１７はポンプ１６ａにより汲み上げられ、熱交換手段２５を通過することにより更に低い温度、例えば４℃の冷水１７を生成し空調機２４に流送される。
このように本発明によれば、水蓄熱槽１６に蓄熱された７℃の冷水１７は氷蓄熱槽２２に備えた０℃〜２℃の冷水２２ｃと熱交換されることにより更に低い４℃の冷水１７となり、空調機２４に流送される。
【００２３】
次に本発明に係る複合蓄熱システムに於ける実施の形態の動作について説明する。
【００２４】
先ず、蓄熱運転時について説明すると、
冷水１７は水蓄熱槽１６からポンプ１９で汲み上げられターボ冷凍機１８に流送され、ターボ冷凍機１８の出口で７℃程度の冷水１８ｄとなる。冷水１８ｄは、冷却水（往）２０ａと冷水１８ｅとして分配され、水蒸気圧縮冷凍機２１の凝縮器２１ｃと水蓄熱槽１６とに流送される。そして、この水蒸気圧縮冷凍機２１の凝縮水として、凝縮器２１ｃに流送された冷却水（往）２０ａは、氷蓄熱槽２２から導入された冷水２２ｃを蒸発器２１ａにおいて蒸発し、圧縮機２１ｂで圧縮され、凝縮器２１ｃに至る水蒸気を直接熱交換により凝縮させる。そして、この冷却水２０ａ（往）は、凝縮水と共にポンプを介して、水蓄熱槽１６に流送される。また、冷却水２０ａ（往）以外の冷水１８ｄは、冷熱として水蓄熱槽１６に蓄熱される。
氷蓄熱槽２２に貯留する冷水２２ｃは、蒸発器２１ａに流送され、蒸発潜熱により氷スラリー２１ｄとなる。生成された氷スラリー２１ｄは、スラリーポンプ２１ｅにより、氷蓄熱槽２２に流送され、貯留される。なお、蒸発器２１ａにおいて、蒸発した水蒸気は、前記凝縮器で、凝縮水となり、冷却水２０ａ（往）と共に冷却水（返）２０ｂとなり、水蓄熱槽１６の高温側１６ｂに流送される。
また、氷蓄熱運転が完了した時点で水蒸気圧縮冷凍機２１を停止すると共に、前記冷水分配手段２０の凝縮器２１ｃへ流送する側を閉じ、全ての冷水１８ｄを水蓄熱槽１６へ流送し蓄熱する。
【００２５】
次に放熱運転時について説明すると、
冷水２２ｃは氷蓄熱槽２２から解氷ポンプ２２ｄにより汲み上げられ、熱交換手段２５を介して、冷水１７と熱交換され、その水温は３℃程度に上昇し、再び氷蓄熱槽２２に戻りスプレーノズル２２ａで散水されることにより氷蓄熱槽２２内の氷スラリーを溶かし、貯留される。一方、冷水１７は、ポンプ１６により汲み上げられ、熱交換手段２５を介して冷水２２ｃと熱交換され、当初７℃だったものを更に４℃に低下され、空調機２４に流送され、空調機２４を通過後１２℃程度に上昇し、再び水蓄熱槽１６に戻される。
かかる場合、通常より低温である４℃の低温冷水１７を空調機２４に供給できるので、大温度差空調システムが可能となる。したがって、二次側配管や細くでき、設備のコストダウンが実現できるほか、リニューアルの場合には増大する空調負荷に設備を更新しなくても対応することも可能となる。
【００２６】
また、本発明に係る蓄熱システムは叙上したように水蓄熱槽と氷蓄熱槽の複合システムとして効用を発揮するので、各構成要素をすべて新設システムとして構築する場合でもよく、蓄熱槽容量が小さくでき、昼間の負荷に対応できないような場合や設置スペースが確保できないところに於ける水蓄熱システムでも本発明の所期の作用、効果を奏する。
また、潜熱蓄熱を賄う水蒸気圧縮冷凍機の冷凍能力は、冷凍機の冷凍能力以下であれば、自由に設定でき、所望の氷蓄熱量に見合った冷凍能力を計画すればよい。
【００２７】
【発明の効果】
本発明に係る複合蓄熱システムは叙上の構成、動作を有するので次の効果がある。
【００２８】
請求項１記載の発明によれば、水蒸気圧縮冷凍機の特徴を活かした高効率運転が可能となり、したがって、潜熱蓄熱に係る成績係数は向上し、しかも、この蓄熱容量の増加分に係る設備は最小限の構成でよい。つまり、水蒸気圧縮式冷凍機には冷却塔を設ける必要がなく設置スペースも不要で、これに伴う配管・ポンプ等の付帯設備も不要となり、省コストで省スペースな蓄熱システムが実現できる。また、水蒸気圧縮冷凍機の凝縮に必要な熱量以外は、水蓄熱槽へ随時蓄熱されるので、ターボ冷凍機の最大効率点での、運転が可能であるという効果がある。
【００２９】
請求項２記載の発明によれば、冷凍機が製造する冷水が冷水分配手段を介して水蒸気圧縮冷凍機と水蓄熱槽とに流送されるので、無駄のない蓄熱が可能となる効果がある。
【００３０】
請求項３記載の発明によれば、冷凍機からの冷水を合理的に分配する効果がある。
【００３１】
請求項４記載の発明によれば、冷凍機が製造する冷水は水蒸気圧縮冷凍機で必要な凝縮熱量以外は水蓄熱槽に分配されるので、必要以上の冷却水を循環することを防止し、無駄のない蓄熱が可能となる効果がある。
【００３２】
請求項５記載の発明によれば、熱交換手段を介して冷房負荷側に冷水を供給するので、低温冷水を製造可能とし、大温度差空調も実現でき、空調装置を追加しなくても冷房負荷の増大に対応できる効果がある。
【００３３】
請求項６記載の発明によれば、氷蓄熱槽の氷を迅速に解氷するとともに、解氷ポンプを新たに設置する必要がないという効果がある。
【図面の簡単な説明】
【図１】図１は、本発明に係る複合蓄熱システムに於ける実施の形態の一例を示す構成配置図である。
【図２】従来の技術に於けるターボ冷凍機を用いた水蓄熱システムの一例を示す構成図である。
【図３】従来の技術に於けるターボ冷凍機を用いた水蓄熱システムの他の例を示す構成図である。
【符号の説明】
１      水蓄熱槽
１ａ    連通孔
２      水
２′    過冷却水
３      ターボ冷凍機
４      往き管路
５      返り管路
６      ポンプ
７      ポンプ
８      空調機
９      氷蓄熱槽
９ａ    氷蓄熱槽のフィルター
１０    往き管
１１    返り管
１２    ポンプ
１３    過冷却器
１４    ターボ冷凍機
１５    ポンプ
１６    水蓄熱槽
１６ａ  低温側
１６ｂ  高温側
１６ｃ  連通孔
１７    冷水
１８    ターボ冷凍機
１８ａ  ターボ冷凍機の蒸発器
１８ｂ  ターボ冷凍機の圧縮機
１８ｃ  ターボ冷凍機の凝縮器
１８ｄ  冷水
１８ｅ  冷水
１９    ポンプ
１９ａ  ポンプの吸込み管
２０    冷水分配手段
２０ａ  冷却水（往）
２０ｂ  冷却水（返）
２１    水蒸気圧縮冷凍機
２１ａ  水蒸気圧縮冷凍機の蒸発器
２１ｂ  水蒸気圧縮冷凍機の圧縮機
２１ｃ  水蒸気圧縮冷凍機の凝縮器
２１ｄ  氷スラリー
２１ｅ  スラリーポンプ
２２    氷蓄熱槽
２２ａ  スプレーノズル
２２ｂ  氷蓄熱槽の底部
２２ｃ  冷水
２２ｄ  解氷ポンプ
２２ｅ  冷水
２３    隔壁
２４    空調機
２５    熱交換手段
２６ａ  冷水二次側往き管
２６ｂ  冷水二次側返り管
【図１】
2004316968.tif 000003
【図２】
2004316968.tif 000004
【図３】
2004316968.tif 000005